(57)【特許請求の範囲】
【請求項１】
柔軟性を有する合成樹脂材からなり、液状化粧品を収容するとともに、外端を開口した筒状の首部を一体形成した容器本体と、前記首部に設け、前記容器本体への圧力により液状化粧品が供給される塗布体と、首部に着脱可能かつ移動可能に設け、前記塗布体の供給部を覆うキャップとから構成した液状化粧品用容器であって、前記塗布体は、前記首部に嵌合する嵌合部と、先端に吐出口を有する供給部と、前記嵌合部と供給部の間に設け、前記首部外端縁に当接するよう外側に周縁が張り出した鍔部とを一体的に形成するとともに、前記容器本体内の液状化粧品を前記吐出口に供給するための流通路を形成してなり、前記容器本体の首部内端をシールで閉塞する一方、塗布体の嵌合部内端に前記シールを突き破って破断する破断部を設け、前記キャップに、前記塗布体を押すことによって前記シールに向けて移動させ得るよう、塗布体の鍔部と係合する段部をその内側に設けるとともに、キャップの前記移動を阻止する一方、除去すれば移動可能になるようなストッパーを設けたことを特徴とする液状化粧品用容器。
【請求項２】
塗布体は、その供給部の吐出口縁に、複数の刷毛を一体的に突形成したことを特徴とする請求項１に記載された液状化粧品用容器。
【請求項３】
塗布体は、供給部の厚みを薄く、幅を長く形成し、鍔部及び供給部を供給部の幅方向に伸びる平面で二分割し、その一方の鍔部下面を嵌合部外端縁にヒンジを介して、他方に対する接続方向に揺動可能に一体的に形成したことを特徴とする請求項１あるいは請求項２に記載された液状化粧品用容器。
【発明の詳細な説明】
【０００１】
【発明の属する分野】
本発明は、マニキュア液等の液状化粧品を収容した容器本体を押圧することによって、該液状化粧品を、前記容器本体に設けた塗布体の吐出口に供給するように成した液状化粧品の容器に関する。
【０００２】
【従来の技術】
従来、液状化粧品、例えばマニキュア液の容器は、容器口を有し、マニキュア液を収納するガラスや合成樹脂等の硬質の容器本体と、前記容器口を開放可能に密閉し、該密閉時にマニキュア液に浸された状態になる塗布ブラシを一体的に設けたキャップとから成るものが一般的である。そして、このマニキュア液の容器は、容器口を開放すべくキャップを離脱し、その塗布ブラシを、該容器口の内面でしごいて余分なマニキュア液を除去したうえ、容器本体外に引き出して使用するというものが一般的であった。
【０００３】
この一般的なマニキュア液の容器は、塗布ブラシを容器本体外に引き出すたびに前述のようなしごき動作を行わなければならないだけでなく、引き出した塗布ブラシに付着しているマニキュア液が多過ぎれば容器口に入れてしごき直し、少な過ぎれば再度容器に入れて付着及びしごき動作をやり直さなければならず、塗布ブラシに液状化粧品を適量付着させるこれらの動作が煩雑であり、また、容器本体が重く携帯に不便であるという問題がある。
【０００４】
【発明が解決しようとする課題】
本発明は、前記問題を解消することを課題とし、該課題を解決した、製造が簡単な塗布体を用いることによって、安価に製造でき、しかも使い勝手のよい液状化粧品の容器を提供することを目的とする。
【０００５】
【課題を解決するための手段】
本発明は、前記目的を達成するために第１に、柔軟性を有する合成樹脂材からなり、液状化粧品を収容するとともに、外端を開口した筒状の首部を一体形成した容器本体と、前記首部に設け、前記容器本体への圧力により液状化粧品が供給される塗布体と、首部に着脱可能かつ移動可能に設け、前記塗布体の供給部を覆うキャップとから構成した液状化粧品用容器であって、前記塗布体は、前記首部に嵌合する嵌合部と、先端に吐出口を有する供給部と、前記嵌合部と供給部の間に設け、前記首部外端縁に当接するよう外側に周縁が張り出した鍔部とを一体的に形成するとともに、前記容器本体内の液状化粧品を前記吐出口に供給するための流通路を形成してなり、前記容器本体の首部内端をシールで閉塞する一方、塗布体の嵌合部内端に前記シールを突き破って破断する破断部を設け、前記キャップに、前記塗布体を押すことによって前記シールに向けて移動させ得るよう、塗布体の鍔部と係合する段部をその内側に設けるとともに、キャップの前記移動を阻止する一方、除去すれば移動可能になるようなストッパーを設けて構成したものである。
【０００６】
さらに、本発明は第２に、塗布体は、その塗布部の吐出口縁に、複数の刷毛を一体成型で一体的に突形成して構成したものである。
【０００７】
またさらに、本発明は第３に、塗布体は、供給部の厚みを薄く、幅を長く形成し、鍔部及び供給部を、供給部の幅方向に伸びる平面で二分割し、その一方の鍔部下面を嵌合部外端縁にヒンジを介して、他方に対する接続方向に揺動可能に一体的に形成して構成したものである。
【０００８】
【発明の実施の形態】
以下に、本発明をマニキュア液の容器に適用した好適な実施の形態を添付図面に基づいて詳細に説明する。ここにおいて、図１は容器全体の縦断面図、図２は塗布体の使用状態における正面図、図３は図２のＡ−Ａ線断面図、図４は同じくＢ−Ｂ線断面図、図５は塗布体の成型後の状態を示す縦断側面図、図６は同じく平面図である。
【０００９】
図１に示したように、液状化粧品用容器１は、内部に液状化粧品たるマニキュア液（図示せず）を収容するように形成した容器本体２と、該容器本体２に一体的に突形成し、容器本体２の内外部を連通する筒状の首部３と、該首部３に取り付け、容器本体２内のマニキュア液を先端の吐出口４に供給して塗布するように成した塗布体５と、前記塗布体５を覆うよう容器本体２の前記首部３に着脱可能に設けたキャップ６とから構成する。
【００１０】
図１に明示したように、前記容器本体２は、柔軟性を有する合成樹脂材であるポリエチレンを成型してなり、前記首部３の内端に位置して容器本体２との連通状態を遮断する破断可能なシール７を付設してある。また、前記首部３の外周には雄螺旋８を設ける。
【００１１】
図２〜図６に明示したように、前記塗布体５は、内側にマニキュア液の通路９を有し、前記首部３に移動可能に嵌合する円筒状の嵌合部１０と、前記首部３の外端縁部に係止し得るよう外側に周縁が張り出した鍔部１１と、この鍔部１１を貫通してマニキュア液の前記通路９に連通した供給路１２を有し、かつ該供給路１２に連通した前記吐出口４を先端に有する供給部１３とを合成樹脂の射出成型によって一体形成する。そして、前記通路９と前記供給路１２により容器本体２内のマニキュア液を前記吐出口４に供給する流通路を形成する。
【００１２】
図１に明示したように、前記嵌合部１０は、その内端を斜めに切って尖った形状となした、前記シール７を突き抜いて破断する破断部１４を有する。また、この嵌合部１０の首部３への嵌合は、常時は嵌合部１０が首部３に対して容易に移動せず、所定以上の力をかけると始めて移動する程度の摩擦力が生じるように密接状態にしてある。
【００１３】
図１〜図６に明示したように、前記供給部１３は、厚みが薄く幅が長い平たい形状をもち、その内側に、前記嵌合部１０の通路９に連通する前記供給路１２を形成するとともに、前記吐出口４縁に多数の刷毛１５・・・を一体成型で一体的に突形成してある。
【００１４】
また、図５及び図６に明示したように、前記塗布体５は、ポリエチレンの射出成型によって作成されるものであって、その成型に使用される金型は、鍔部１１及び供給部１３をその幅方向に伸びる平面で二分割し、ヒンジ１６によって一方の半鍔部１１ａ下面と嵌合部１０の外縁とを回転可能に連結し、かつ二分割した前記一方の半鍔部１１ａ及び半供給部１３ａを外側に開いたものを得られるように形成してある。そして、成型したものは、図５の矢印のようにヒンジ１５を中心に回転し、二分割した両方の半鍔部１１ａ，１１ｂ及び半供給部１３ａ，１３ｂを、図４のように緊密に対接した状態とし、容器本体２の首部３に嵌合部１０を嵌合するのである。このように、供給部１３は半供給部１３ａと半供給部１３ｂによって、また、鍔部１１は半鍔部１１ａと半鍔部１１ｂを合わせることによってそれぞれ構成されるのである。前述の一方の半鍔部１１ａ及び半供給部１３ａを外側に開いた形状は、これを射出成型するための金型の形状が単純で製作し易いという特徴がある。
【００１５】
図１に明示したように、前記キャップ６の内側には、首部３の雄螺旋８に螺合する雌螺旋１７を形成するとともに、塗布体５の鍔部１１に係合する段部１８を形成する。そして、前記雄螺旋８と雌螺旋１７を螺合させることによって、キャップ６を首部３に着脱可能に設けるのである。また、このキャップ６の端部には、薄く形成した切り溝１９ａを周囲に巡らせて成るリング状のストッパー１９を設けてある。該ストッパー１９には、指で摘むことができる摘み片（図示せず）が形成してあって、これを引くことによって該切り溝１９ａを破き除去し得るように成っている。このように、前記切り溝１９ａを切ることによって、キャップの容器本体２側への移動を阻止していたこのストッパー１９を除去し、雄螺旋８に雌螺旋１７をさらに深く螺合し、キャップ６を容器本体２側に移動することが可能である。
【００１６】
上記液状化粧品用容器１の作成にあたっては、前記容器本体２及び前記キャップ６を各別にポリエチレン射出成型加工し、容器本体２の首部３内端をシール７で閉塞する。また、塗布体５を、図５及び図６に示す形状、すなわち、一方の半鍔部１１ａ及び半供給部１３ａを外側に開いた形状になるように射出成型加工する。このように加工した塗布体５を、ヒンジ１６を中心に回転し、二分割した両方の半鍔部１１ａ，１１ｂ及び半供給部１３ａ，１３ｂを、図４のように緊密に対接した状態で、容器本体２の首部３に嵌合部１０を、鍔部１１と首部３外端縁間に間隔を開けた状態になるよう嵌合する（図１参照）。続いて、キャップ６を首部３にストッパー１９が容器本体２に当たるまで螺合し完了する。このように、作成された状態にあっては、塗布体５の鍔部１１がキャップ６内側の段部１８と係合し、また、塗布体５の嵌合部１０の破断部１４は、シール７に対峙する位置に存置している。
【００１７】
前記のように作成された液状化粧品用容器１の使用にあたっては、先ず、キャップ６のストッパー１９を、その摘み片（図示せず）を持って引くことによって、切り溝１９ａを破き除去する。続いて、キャップ６を深く螺入させ容器本体２側に移動させると、キャップ６の段部１８が塗布体５の鍔部１１を押圧し、該塗布体５をシール７に向けて、鍔部１１下面が首部３縁に当接するまで移動し、その破断部１４によってシール７を突き破る。このように、鍔部１１下面が首部３外端縁に当接した状態になると、半鍔部１１ａ及び半供給部１３ａがヒンジ１６を中心に回転して開くことがないだけでなく、両方の半鍔部１１ａ，１１ｂ及び半供給部１３ａ，１３ｂが緊密に対接し、各両者間から供給路１２内の液状化粧品たるマニキュア液が洩れることはない。ここで、容器本体２を潰すように指で押圧すると、マニキュア液がシール７の破れた部分、通路９及び供給路１２を経て吐出口４から吐出するから、手や足の爪に塗布することが可能となる。
【００１８】
なお、本発明は、前記実施の形態に限定されるものではなく、例えば、刷毛１５・・・は、半供給部１３ａと半供給部１３ｂが対接したとき重ならないように設けるのではなく、重なるように設けてもよいだけでなく、該刷毛１５・・・はあえて設けなくてもよい。また、首部３に対してキャップ６を着脱可能にするためには、雄螺旋８と雌螺旋１７を螺合させる方法ではなく、他の機構を用いてもよい。さらに、ストッパー１９を除去するには、切り溝１９ａの破断ではない他の方法を採用してもよい。
【００１９】
【発明の効果】
以上のように、請求項１に記載された本発明は、容器本体を押圧すれば吐出口から液状化粧品が吐出するので、容易に化粧をすることができるほか、塗布体を一体的に形成したので、従来のように別途刷毛を植毛する必要がなく、製造が簡単で安価に提供できるとともに、ストッパーを除去してキャップを深く螺入すれば容易に開封できるという効果を奏する。
【００２０】
さらに、請求項２に記載された本発明は、前記請求項１に記載された発明が奏する効果に加えて、吐出口に複数の刷毛を設けたので、液状化粧品を塗布し易いという効果を奏する。
【００２１】
またさらに、請求項３に記載された本発明は、前記請求項１あるいは前記請求項２に記載された発明が奏する効果に加えて、鍔部及び供給部を、供給部の幅方向に伸びる平面で二分割し、その一方を外側に開いた状態にて、鍔部下面と嵌合部外端縁とをヒンジによって揺動可能に連結したので、これを射出成型するための金型の形状が単純で製作し易く、製造費を低減できるという効果を奏する。
【図面の簡単な説明】
【図１】容器全体の縦断面図。
【図２】塗布体の使用状態における正面図。
【図３】図２のＡ−Ａ線断面図。
【図４】同じくＢ−Ｂ線断面図。
【図５】塗布体の成型後の状態の縦断側面図。
【図６】同じく平面図。
【符号の説明】
１  容器
２  容器本体
３  首部
４  吐出口
５  塗布体
６  キャップ
７  シール
９  通路
１０  嵌合部
１１  鍔部
１１ａ，１１ｂ  半鍔部
１２  供給路
１２ａ，１２ｂ  半供給路
１３  供給部
１３ａ，１３ｂ  半供給部
１４  破断部
１５  刷毛
１６  ヒンジ
１８  段部
１９  ストッパー
【図１】
0003574535.tif 000002
【図２】
0003574535.tif 000003
【図３】
0003574535.tif 000004
【図４】
0003574535.tif 000005
【図５】
0003574535.tif 000006
【図６】
0003574535.tif 000007